(57)【要約】【課題】コスト安を実現でき、熱交換容量を大きくでき、装置の小型化や薄型化ができるようにしたダクト型空気調和機を提供する。【解決手段】筐体１０と、筐体１０内の空気吹出口１２の側に側面から見てＶ字形状に配置された第１および第２の熱交換器２０Ａ，２０Ｂと、筐体１０内の空気吸込口１１の側に配置されたモータ３０と、筐体１０内の空気吸込口１１の側においてモータ３０の第１の出力軸３１で駆動される第１のターボファン５０Ａおよびモータ３０の第２の出力軸３２で駆動される第２のターボファン５０Ｂと、第１、第２のターボファン５０Ａ，５０Ｂから第１、第２の熱交換器２０Ａ，２０Ｂへ風を送る第１、第２の風向ガイド板６０Ａ、６０Ｂと、を備える。【選択図】図１
2015175558.tif 000002
【特許請求の範囲】
【請求項１】
前面に空気吹出口が設けられ背面に空気吸込口が設けられた筐体と、該筐体内の前記空気吸込口と前記空気吹出口をつなぐ空気流通路に通風方向に対して互いに逆に傾斜して配置された第１および第２の熱交換器と、前記空気流通路の前記空気吸込口と前記熱交換器との間に回転軸を垂直にして配置され前記空気吸込口から吸い込んだ風を前記第１の熱交換器に吹き付ける第１のターボファンと、前記空気流通路の前記空気吸込口と前記熱交換器との間に回転軸を垂直にして配置され前記空気吸込口から吸い込んだ風を前記第２の熱交換器に吹き付ける第２のターボファンと、前記第１および第２のターボファンを駆動する１個のモータと、前記第１のターボファンへの風の流出入を案内する第１の風向ガイド板および前記第２のターボファンへの風の流出入を案内する第２の風向ガイド板とを備えたダクト型空気調和機であって、
前記モータは、垂直方向の一方の側に突出し前記第１のターボファンを駆動する第１の出力軸と、垂直方向の他方の側に突出し前記第２のターボファンを駆動する第２の出力軸とを有し、
前記第１の風向ガイド板は、下面に第１の吸込用開口が形成され、先端が横方向に拡開した第１の吹出用開口が形成され、前記第１の熱交換器の側と反対の側に位置する背面が閉じ、両側面が閉じ、上面が閉じてなり、
前記第２の風向ガイド板は、上面に第２の吸込用開口が形成され、先端が横方向に拡開した第２の吹出用開口が形成され、前記第２の熱交換器の側と反対の側に位置する背面の側が閉じ、両側面が閉じ、下面が閉じてなり、
前記第１の熱交換器は、上面が前記第１の風向ガイド板に向き、下面が前記空気吹出口を向くように傾斜して配置され、
前記第２の熱交換器は、下面が前記第２の風向ガイド板に向き、上面が前記空気吹出口を向くように傾斜して配置されている、
ことを特徴とするダクト型空気調和機。
【請求項２】
請求項１に記載のダクト型空気調和機において、
前記第１の熱交換器と前記第２の熱交換器は、前記空気吹出口の側が広がり前記モータの側が閉じるように側面からみて横Ｖ字形状に傾斜して配置されていることを特徴とするダクト型空気調和機。
【請求項３】
請求項１又は２に記載のダクト型空気調和機において、
前記モータは、前記筐体の両側壁の間に架け渡した横姿勢のモータ架台に縦姿勢で取り付けられていることを特徴とするダクト型空気調和機。
【請求項４】
請求項１、２又は３に記載のダクト型空気調和機において、
前記第１の風向ガイド板は、閉じた前記上面が前記筐体の上面壁の一部で構成され、前記第２の風向ガイド板は、閉じた前記下面が前記筐体の下面壁の一部で構成されていることを特徴とするダクト型空気調和機。
【発明の詳細な説明】
【技術分野】
【０００１】
本発明は、小型化大容量化を図ったダクト型空気調和機に関する。
【背景技術】
【０００２】
ダクト型空気調和機に、送風ファンとしてシロッコファンを使用したものがある。シロッコファンを使用したダクト型空気調和機は、そのシロッコファンの大きさ、対応する熱交換器の形状等によって、熱交換器に当たる風の風速分布を均一化して熱交換効率を高くする取り組みが行われてきた。
【０００３】
しかし、シロッコファンは、渦巻き状のケーシングを備え、両側から空気を吸い込み、正面から空気を吹き出す構造であるので、風速分布が偏在しているため、このシロッコファンを使用したダクト型空気調和機では、風速分布の飛躍的な改善には至っていない。このため、熱交換効率向上は十分ではなく、熱変換容量不足を招く。特許文献１にシロッコファンを使用した室内機についての記載がある。
【０００４】
熱変換容量の増大化は、大面積の熱交換器を使用するとともに大きなシロッコファンを使用することで実現することができるが、大きなシロッコファンは装置の大型化を招くので、独立した個々のモータで駆動される複数のシロッコファンを使用することが行われる。しかし、この場合でも装置全体の大型化を回避することは困難であり、またコスト高を招く。
【０００５】
一方、ターボファンを使用する送風装置が、特許文献２で提案されている。このターボファンを室内機に使用すれば、風速分布の均一化をはかることができるが、送風面積を大きくするためには複数台のターボファンを使用する必要があり、この場合でも、個々のターボファンを駆動する複数のモータが必要であり、上記同様に装置の大型化やコスト高を招くことになる。
【先行技術文献】
【特許文献】
【０００６】
【特許文献１】特開平０９−２７３８０１号公報
【特許文献２】特開２０１０−８４７０１号公報
【発明の概要】
【発明が解決しようとする課題】
【０００７】
本発明の目的は、コスト安を実現でき、熱交換容量を大きくでき、装置の小型化や薄型化ができるようにしたダクト型空気調和機を提供することである。
【課題を解決するための手段】
【０００８】
上記目的を達成するために、請求項１にかかる発明は、前面に空気吹出口が設けられ背面に空気吸込口が設けられた筐体と、該筐体内の前記空気吸込口と前記空気吹出口をつなぐ空気流通路に通風方向に対して互いに逆に傾斜して配置された第１および第２の熱交換器と、前記空気流通路の前記空気吸込口と前記熱交換器との間に回転軸を垂直にして配置され前記空気吸込口から吸い込んだ風を前記第１の熱交換器に吹き付ける第１のターボファンと、前記空気流通路の前記空気吸込口と前記熱交換器との間に回転軸を垂直にして配置され前記空気吸込口から吸い込んだ風を前記第２の熱交換器に吹き付ける第２のターボファンと、前記第１および第２のターボファンを駆動する１個のモータと、前記第１のターボファンへの風の流出入を案内する第１の風向ガイド板および前記第２のターボファンへの風の流出入を案内する第２の風向ガイド板とを備えたダクト型空気調和機であって、前記モータは、垂直方向の一方の側に突出し前記第１のターボファンを駆動する第１の出力軸と、垂直方向の他方の側に突出し前記第２のターボファンを駆動する第２の出力軸とを有し、前記第１の風向ガイド板は、下面に第１の吸込用開口が形成され、先端が横方向に拡開した第１の吹出用開口が形成され、前記第１の熱交換器の側と反対の側に位置する背面が閉じ、両側面が閉じ、上面が閉じてなり、前記第２の風向ガイド板は、上面に第２の吸込用開口が形成され、先端が横方向に拡開した第２の吹出用開口が形成され、前記第２の熱交換器の側と反対の側に位置する背面の側が閉じ、両側面が閉じ、下面が閉じてなり、前記第１の熱交換器は、上面が前記第１の風向ガイド板に向き、下面が前記空気吹出口を向くように傾斜して配置され、前記第２の熱交換器は、下面が前記第２の風向ガイド板に向き、上面が前記空気吹出口を向くように傾斜して配置されている、ことを特徴とする。
【０００９】
請求項２にかかる発明は、請求項１に記載のダクト型空気調和機において、前記第１の熱交換器と前記第２の熱交換器は、前記空気吹出口の側が広がり前記モータの側が閉じるように側面からみて横Ｖ字形状に傾斜して配置されていることを特徴とする。
【００１０】
請求項３にかかる発明は、請求項１又は２に記載のダクト型空気調和機において、前記モータは、前記筐体の両側壁の間に架け渡した横姿勢のモータ架台に縦姿勢で取り付けられていることを特徴とする機。
【００１１】
請求項４にかかる発明は、請求項１、２又は３に記載のダクト型空気調和機において、前記第１の風向ガイド板は、閉じた前記上面が前記筐体の上面壁の一部で構成され、前記第２の風向ガイド板は、閉じた前記下面が前記筐体の下面壁の一部で構成されていることを特徴とする。
【発明の効果】
【００１２】
本発明によれば、第１および第２のターボファンが共通の１個のモータによって駆動されるのでコスト安を実現できる。また第１および第２の熱交換器が傾斜配置されるので、縦配置した場合に比べて熱交換面積の大型化を実現できて熱交換容量を大きくすることができる。さらにモータが１個であり第１および第２の熱交換器が傾斜配置されていることから、装置の薄型化や小型化が可能となる。
【図面の簡単な説明】
【００１３】
【図１】本発明の１つの実施例のダクト型空気調和機の縦断面図である。
【図２】図１のダクト型空気調和機の筐体の上面部分を取り外した状態の平面図である。
【図３】図１のダクト型空気調和機の箱体の上面部分を取り外し、さらに第１、第２のターボファンとモータと風向ガイド板を取り外した状態の平面図である。
【発明を実施するための形態】
【００１４】
図１〜図３に本発明の実施例のダクト型空気調和機を示す。１０は筐体であり、背面（右側）に吸込側ダクト（図示せず）が接続されるダクト接続枠体７０を有する空気吸込口１１が設けられ、前面（左側）に吹出側ダクト（図示せず）が接続されるダクト接続枠体８０を有する空気吹出口１２が設けられている。
【００１５】
２０Ａ，２０Ｂは第１、第２の熱交換器であり、側面から見て横Ｖ字形状に配置されている。
【００１６】
３０は両軸型のモータであり、第１の出力軸３１と第２の出力軸３２が垂直方向を向くように互いに反対方向に突出して設けられ、筐体１０の両側壁の間に水平姿勢で架け渡したモータ架台４０の中央の開口４１に、ねじ等（図示せず）で搭載されている。
【００１７】
５０Ａ，５０Ｂは薄型の第１、第２のターボファンであり、第１のターボファン５０Ａはモータ３０の第１の出力軸３１に取り付けられ、第２のターボファン５０Ｂはモータ３０の第２の出力軸３２に取り付けられている。
【００１８】
６０Ａ，６０Ｂは風向ガイド板であり、空気吸込口１１から吸い込まれた風をターボファン５０Ａ，５０Ｂのそれぞれに個々に導く。この風向ガイド板６０Ａ，６０Ｂは、湾曲した背面板６１Ａ，６１Ｂ、この背面板６１Ａ，６１Ｂに直線的に連続する側面板６２Ａ，６３Ａ，６２Ｂ，６３Ｂ（ただし、６２Ｂ，６３Ｂは図示せず）、吸込開口部６４Ａａ，６４Ｂａを有する板材６４Ａ，６４Ｂ、および熱交換器２０Ａ，２０Ｂに対向し横方向に拡開した吹出用開口６５Ａ，６５Ｂを備える。板材６４Ａは風向ガイド板６０Ａの下面を構成し、板材６４Ｂは風向ガイド板６０Ｂの上面を構成する。吹出用開口６５Ａ，６５Ｂの開口横幅は熱交換器２０Ａ，２０Ｂの横幅Ｗに対応している。なお、風向ガイド板６０Ａの上面側を閉じて上面を形成する上面板には筐体１０の上面壁１０ａの一部が共用され、風向ガイド板６０Ｂの下面側を閉じて下面を形成する下面板には筐体１１の下面壁１０ｂの一部が共用されている。６６は仕切板であり、風向ガイド板６０Ａ，６０Ｂの奥壁の一部を構成し、空気吸込口１１から吸い込まれた空気が熱交換器２０Ａ，２０Ｂの方向へ直接通過することを阻止して、その空気をターボファン５０Ａ，５０Ｂに導くように作用する。この仕切板６６は、熱交換器２０Ａ，２０Ｂとターボファン５０Ａ，５０Ｂとの間を仕切るように、筐体１０の両側の側面壁１０ｃ，１０ｄの間に縦になった姿勢で横方向（図１において紙面に垂直方向）に配置されている。
【００１９】
熱交換器２０Ａは、風向ガイド板６０Ａの吹出用開口６５Ａに対面する上側が空気吹出口１２の側となり、モータ３０に対面する下側が風向ガイド板６０Ａの側となるように、通風方向に対して傾斜している。つまり、上面２０Ａａが風向ガイド板６０Ａに向き、下面２０Ａｂが空気吹出口１２に向くように傾斜して配置されている。
【００２０】
また、熱交換器２０Ｂは、風向ガイド板６０Ｂの吹出用開口６５に対面する下側が空気吹出口１２の側となり、モータ３０に対面する上側が風向ガイド板６０Ｂの側となるように、通風方向に対して傾斜している。つまり、下面２０Ｂｂが風向ガイド板６０Ｂに向き、上面２０Ｂａが空気吹出口１２に向くように傾斜して配置されている。
【００２１】
これにより、熱交換器２０Ａ，２０Ｂは、前記したように、側面から見て空気吹出口１２の側に開く横Ｖ字形状に配置されている。
【００２２】
９０は室外機（図示せず）に接続される冷媒配管接続ナットである。
【００２３】
さて、空気吸込口１１から吸い込まれた空気は、第１のターボファン５０Ａの回転により、風向ガイド板６０Ａの吸込用開口６４Ａａから第１のターボファン５０Ａに吸い込まれ、吹出用開口６５Ａから熱交換器２０Ａに吹き付けられ、そこで冷媒と熱交換されてから、空気吹出口１２より吹出される。
【００２４】
このとき、熱交換器２０Ａは、上面２０Ａａが風向ガイド板６０Ａに向き、下面２０Ａｂが空気吹出口１２に向くように傾斜して配置されており、風向ガイド板６０Ａの吹出用開口６５Ａは横方向に拡開されているので、第１のターボファン５０Ａから吹き出される風のほぼすべてが熱交換器２０Ａの上面２０Ａａの全面に当たることになる。しかも、第１のターボファン５０Ａは上側の風力が下側の風力よりも強いが、熱交換器２０Ａが傾斜しているため、熱交換器２０Ａの上面２０Ａａの上側が第１のターボファン５０Ａから遠くなるので、熱交換器２０Ａの上面２０Ａａの全体への風圧はほぼ平均化されることになる。
【００２５】
また、空気吸込口１１から吸い込まれた空気は、第２のターボファン５０Ｂの回転により、風向ガイド板６０Ｂの吸込用開口６４Ｂａから第２のターボファン５０Ｂに吸い込まれ、吹出用開口６５Ｂから熱交換器２０Ｂに吹き付けられ、そこで冷媒と熱交換されてから、空気吹出口１２より吹出される。
【００２６】
このとき、熱交換器２０Ｂは、下面２０Ｂｂが風向ガイド板６０Ｂに向き、上面２０Ｂａが空気吹出口１２に向くように傾斜して配置されており、風向ガイド板６０Ｂの吹出用開口６５Ｂは横方向に拡開されているので、第２のターボファン５０Ｂから吹き出される風のほぼすべてが熱交換器２０Ｂの下面２０Ｂｂの全面に当たることになる。しかも、第２のターボファン５０Ｂは下側の風力が上側の風力よりも強いが、熱交換器２０Ｂが傾斜しているため、熱交換器２０Ｂの下面２０Ｂｂの下側が第２のターボファン５０Ｂから遠くなるので、熱交換器２０Ｂの下面２０Ｂｂの全体への風圧はほぼ平均化されることになる。
【００２７】
以上から、本実施例のダクト型空気調和機は、第１のターボファン５０Ａから熱交換器２０Ａの全面への風圧、第２のターボファン５０Ｂから熱交換器２０Ｂの全面への風圧が、それぞれ平均化されることから、熱交換効率が向上して、熱交換容量を大きくすることができ、このとき風量が少なくて済むから、ターボファン５０Ａ，５０Ｂを駆動するモータ３０を小型化できる。
【００２８】
また、ターボファン５０Ａ，５０Ｂは薄型であり、モータ３０の上下方向に重なるように配置されており、しかも、熱交換器２０Ａ，２０Ｂは横からみてＶ字形状に配置されているので、筐体１０の薄型化、小型化が可能となる。
【００２９】
また、熱交換器２０Ａ，２０Ｂは横からみてＶ字形状に傾斜配置されていることから、縦配置した場合に比べて、熱交換器２０Ａ，２０Ｂの大面積化が可能となる。
【００３０】
なお、風向ガイド板６０Ａはその上面板に筐体１０の上面壁１０ａの一部を共用し、風向ガイド板６０Ｂはその下面板に筐体１０の下面に筐体１０の下面壁１０ｂの一部を共用したが、それぞれ独立して上面板、下面板を設けて、ターボファン５０Ａ，５０Ｂを囲むような箱型とすることもできる。
【符号の説明】
【００３１】
１０：筐体、１０ａ：上面壁、１０ｂ：下面壁、１０ｃ，１０ｄ：側面壁、１１：空気吸込口、１２：空気吹出口
２０Ａ：第１の熱交換器、２０Ａａ：上面、２０Ａｂ：下面、２０Ｂ：第２の熱交換器、２０Ｂａ：上面、２０Ｂｂ：下面
３０：モータ、３１：第１の出力軸、３２：第２の出力軸
４０：モータ架台
５０Ａ：第１のターボファン、５０Ｂ：第２のターボファン
６０Ａ，６０Ｂ：風向ガイド板、６１Ａ，６１Ｂ：背面板、６２Ａ，６３Ａ，６２Ｂ，６３Ｂ（ただし、６２Ｂ，６３Ｂは図示せず）：側面板、６４Ａ，６４Ｂ：板材、６４Ａａ，６４Ｂａ：吸込用開口、６５Ａ，６５Ｂ：吹出用開口、６６：仕切板
７０，８０：ダクト接続枠体
９０：冷媒配管接続ナット
【図１】
2015175558.tif 000003
【図２】
2015175558.tif 000004
【図３】
2015175558.tif 000005